(57)【特許請求の範囲】
【請求項１】
ユーザーの個人情報を表示する電子名札（１）と、入退場ゲート（２）に配置されるリーダライタ（４）と、リーダライタ（４）を制御するホスト端末（５）を備えている電子名札システムであって、
電子名札（１）は、個人情報を表示する表示体（１２）と、表示体（１２）の表示状態を制御する表示制御部（１３）と、リーダライタ（４）と無線通信を行う通信部（１４）と、電源（１５）を備えており、
電子名札（１）の表示制御部（１３）は、表示体（１２）で表示される文字および記号等のフォントデータを格納する表示記憶部（２１）を備え、通信部（１４）は、名札ＩＤを格納する通信記憶部（２３）を備えており、
ホスト端末（５）は、個人情報データが格納してあるデータ格納部（３４）と、リーダライタ（４）とデータ格納部（３４）の間でデータを送受するデータ制御部（３５）を備えており、
ユーザーが入退場ゲート（２）から入場するとき、リーダライタ（４）と電子名札（１）の間で通信を確立して、名札ＩＤに基づきホスト端末（５）のデータ格納部（３４）から取得した個人情報データを電子名札（１）に転送して表示体（１２）で表示しており、
ユーザーが入退場ゲート（２）から退場するとき、リーダライタ（４）と電子名札（１）との間で通信を確立して、表示体（１２）における個人情報の表示を停止しており、
入退場ゲート（２）にユーザーの通過方向を特定する入退場検知部（３）が配置されており、入退場検知部（３）でユーザーが入場したか退場したかを特定して、リーダライタ（４）から電子名札（１）に表示指令を送信して表示体（１２）に個人情報データを表示させ、あるいは表示停止指令を送信して表示体（１２）の表示を停止しており、
入退場検知部（３）が、リーダライタ（４）を間にして入退場ゲート（２）の内外に配置されて、電子名札（１）の通信記憶部（２３）に入場フラグあるいは退場フラグを記録する入場側リーダライタ（４１）および退場側リーダライタ（４２）で構成されており、
電子名札（１）の通信記憶部（２３）に記録された入場フラグまたは退場フラグを前記リーダライタ（４）で読込んで、ユーザーが入場するのか退場するのかをホスト端末（５）に設けたデータ制御部（３５）で判定することを特徴とする電子名札システム。
【請求項２】
ホスト端末（５）に、データ格納部（３４）に記録された個人情報データの変更、および追加を行うデータ管理部（３６）が設けられており、
電子名札（１）を再発行するとき、データ管理部（３６）が紛失した電子名札（１）の名札ＩＤを無効化し、再発行される電子名札（１）の名札ＩＤを個人情報データとともにデータ格納部（３４）に格納する請求項１に記載の電子名札システム。
【請求項３】
入退場検知部（３）が、ユーザーの通過方向に沿って入退場ゲート（２）に分離配置した複数個の光センサー（２９Ａ〜２９Ｃ・３０Ａ〜３０Ｃ）で構成されており、
複数個の光センサー（２９Ａ〜２９Ｃ・３０Ａ〜３０Ｃ）がユーザーの通過を検知するときの、各光センサー（２９Ａ〜２９Ｃ・３０Ａ〜３０Ｃ）の検知動作の違いで入退場ゲート（２）におけるユーザーの通過方向を特定する請求項１または２に記載の電子名札システム。
【請求項４】
入退場ゲート（２）の複数個所に、一人のユーザーのみが通過できる個別通路（６）が設けられて、各個別通路（６）ごとに入退場検知部（３）とリーダライタ（４）が配置されており、
個別通路（６）を通過するユーザーが着用した電子名札（１）とリーダライタ（４）との間で通信を確立して、入退場ゲート（２）を通過する複数のユーザーの電子名札（１）の表示、または表示停止を行う請求項１から３のいずれかひとつに記載の電子名札システム。
【発明の詳細な説明】
【技術分野】
【０００１】
本発明は、個人情報を表示する表示部を備えている電子名札と、電子名札の識別コード（以下、単に名札ＩＤと言う。）や個人情報の表示内容を読み書きするリーダライタと、個人情報を管理するホスト端末（サーバー）を備えている電子名札システムに関する。
【背景技術】
【０００２】
例えば学校等においては、学生、生徒等の個人識別を明確化するために、学校内において名札の着用を義務付けることがある。しかし、学校外において名札を着用したままであると、個人情報が不正に取得され犯罪に利用されるおそれがある。こうした個人情報の不正利用や情報漏洩を防ぐために、登校時に学校内で名札を着用し、下校時には名札を外して個人情報を保護する措置が講じられている。しかし、下校時に名札を外し忘れ、あるいは外した名札を紛失することがあり、そのため名札の付け外しを行うことのみで個人情報を確実に保護するのは難しい。また、名札を付け外しすること自体が煩わしく、さらに低学年の生徒の場合には、外した名札の保管や管理を適切に行えないことがある。
【０００３】
本発明においては、名札を電子化して必要な場所においてのみ個人情報を表示し、それ以外の場所では個人情報の表示を停止して、個人情報の不正利用や情報漏洩を防止するが、こうした電子名札システムは例えば特許文献１に開示されている。そこでは、電子名札と、電子名札管理端末で電子名札システムを構成している。電子名札には、電子名札管理端末と通信する無線通信部と、個人情報を表示する表示部と、表示部の表示状態を制御する表示制御部と、表示データを格納する記憶部などが設けてある。電子名札管理端末は、特定エリアの入場口に設けられて、電子名札と通信することにより、電子名札を着用したユーザーの入場あるいは退場を検知し管理する。電子名札は、特定エリア内においてのみ個人情報を表示し、特定エリアから退場した状態では個人情報の表示を停止する。
【先行技術文献】
【特許文献】
【０００４】
【特許文献１】特開２００７−１２８３９９号公報（段落番号００５５、図１）
【発明の概要】
【発明が解決しようとする課題】
【０００５】
特許文献１の電子名札システムによれば、特定エリア内においてのみ個人情報を表示できるので、個人情報の不正利用や情報漏洩を防止できる。しかし、個人情報が表示データとして電子名札の記憶部に格納してあるため、電子名札を紛失し、あるいは不正に取得された場合に、表示データが解析され、個人情報が不正に取得され犯罪に利用されるおそれがある。また、電子名札を紛失したユーザーに対しては電子名札を再発行するが、紛失した電子名札は真正であるため、何らかの形で無効化しない限りは悪用されるおそれがあり、電子名札の再発行に要する手間が煩雑になる。さらに、学生や生徒であれば学年および組番号などの氏名以外の属性情報、あるいは職域であれば所属部署および役職名などの氏名以外の属性情報が変わった場合に、個々の電子名札の表示データを書き換える必要があり、表示データの書き換えに多くの手間が掛かってしまう。
【０００６】
特許文献１の電子名札システムは、特定エリアに入場し、あるいは特定エリアから退場するとき、例えばスイッチを操作し、あるいは認証カードを通して、ユーザーの入退場を電子名札管理端末に対して通知する必要がある。そのため、少人数のユーザーが特定エリアへ入場し、あるいは特定エリアから退場するような場合には問題はないが、多人数のユーザーが同時に入退場しようとした場合に、電子名札管理端末に対する通知に多くの時間が掛かかってしまう。例えば、特許文献１の電子名札システムを学校等に導入した場合には、登下校時に校門や校舎の入口が混雑し、学生や生徒を円滑に出入りさせることが困難となる。
【０００７】
本発明の目的は、電子名札を紛失し、あるいは電子名札が不正に取得された場合であっても、個人情報が解析され悪用されるのを確実に防止できる、情報セキュリティ性に優れた電子名札システムを提供することにある。
本発明の目的は、氏名以外の属性情報の変更や、電子名札を紛失したときの再発行処理をホスト端末側で簡便に行うことができ、従来の電子名札システムに比べて取扱いや管理が容易な電子名札システムを提供することにある。
本発明の目的は、リーダライタの通信エリアを通過するだけで、電子名札に個人情報を表示し、あるいは表示を停止でき、多人数のユーザーが同時に入退場するような場合でも、ユーザーの入退場を円滑に行える電子名札システムを提供することにある。
【課題を解決するための手段】
【０００８】
本発明に係る電子名札システムは、図１に示すように、ユーザーの個人情報を表示する電子名札１と、入退場ゲート２に配置されるリーダライタ４と、リーダライタ４を制御するホスト端末５を備えている。電子名札１は、個人情報を表示する表示体１２と、表示体１２の表示状態を制御する表示制御部１３と、リーダライタ４と無線通信を行う通信部１４と、電源１５を備えている。電子名札１の表示制御部１３は、表示体１２で表示される文字および記号等のフォントデータを格納する表示記憶部２１を備え、通信部１４は、名札ＩＤを格納する通信記憶部２３を備えている。ホスト端末５は、個人情報データが格納してあるデータ格納部３４と、リーダライタ４とデータ格納部３４の間でデータを送受するデータ制御部３５を備えている。ユーザーが入退場ゲート２から入場するときは、リーダライタ４と電子名札１の間で通信を確立して、名札ＩＤに基づきホスト端末５のデータ格納部３４から取得した個人情報データを電子名札１に転送して表示体１２で表示する。ユーザーが入退場ゲート２から退場するときは、リーダライタ４と電子名札１との間で通信を確立して、表示体１２における個人情報の表示を停止することを特徴とする。
【０００９】
入退場ゲート２にユーザーの通過方向を特定する入退場検知部３を配置する。入退場検知部３でユーザーが入場したか退場したかを特定して、リーダライタ４から電子名札１に表示指令を送信して表示体１２に個人情報データを表示させ、あるいは表示停止指令を送信して表示体１２の表示を停止する。
【００１０】
ユーザーが入退場ゲート２から入場するとき、リーダライタ４は電子名札１と通信を確立し、電子名札１の通信記憶部２３から名札ＩＤを取得して、ホスト端末５のデータ制御部３５へ送致する。データ制御部３５は、リーダライタ４から受取った名札ＩＤに基づき、データ格納部３４から個人情報データを取得して、リーダライタ４を介して電子名札１の表示制御部１３へ送致する。個人情報データを受取った電子名札１の表示制御部１３は、必要なフォントデータを表示記憶部２１から取得して表示体１２に個人情報を表示する。
【００１１】
ホスト端末５に、データ格納部３４に記録された個人情報データの変更、および追加を行うデータ管理部３６を設ける。電子名札１を再発行するとき、データ管理部３６が紛失した電子名札１の名札ＩＤを無効化し、再発行される電子名札１の名札ＩＤを個人情報データとともにデータ格納部３４に格納する。
【００１２】
入退場検知部３は、ユーザーの通過方向に沿って入退場ゲート２に分離配置した複数個の光センサー２９Ａ〜２９Ｃ・３０Ａ〜３０Ｃで構成する。複数個の光センサー２９Ａ〜２９Ｃ・３０Ａ〜３０Ｃがユーザーの通過を検知するときの、各光センサー２９Ａ〜２９Ｃ・３０Ａ〜３０Ｃの検知動作の違いで入退場ゲート２におけるユーザーの通過方向を特定する。
【００１３】
入退場検知部３は、リーダライタ４を間にして入退場ゲート２の内外に配置されて、電子名札１の通信記憶部２３に入場フラグあるいは退場フラグを記録する入場側リーダライタ４１および退場側リーダライタ４２で構成する。電子名札１の通信記憶部２３に記録された入場フラグまたは退場フラグを前記リーダライタ４で読込んで、ユーザーが入場するのか退場するのかをホスト端末５に設けたデータ制御部３５で判定する。
【００１４】
入退場ゲート２の複数個所に、一人のユーザーのみが通過できる個別通路６が設けられて、各個別通路６ごとに入退場検知部３とリーダライタ４を配置する。個別通路６を通過するユーザーが着用した電子名札１とリーダライタ４との間で通信を確立して、入退場ゲート２を通過する複数のユーザーの電子名札１の表示、または表示停止を行う。
【発明の効果】
【００１５】
本発明の電子名札システムにおいては、個人情報データをホスト端末５のデータ格納部３４に格納しておき、電子名札１には名札ＩＤとフォントデータ等を格納するようにした。そのうえで、ユーザーが入退場ゲート２を入場するとき、電子名札１とリーダライタ４の間の通信を確立して、電子名札１に格納してある名札ＩＤをキーにして、データ格納部３４から個人情報データを電子名札１へ転送し、表示体１２で個人情報を表示するようにした。また、ユーザーが入退場ゲート２から退場するときは、リーダライタ４と電子名札１との間で通信を確立して、表示体１２における個人情報の表示を停止するようにした。
【００１６】
上記の電子名札システムによれば、ユーザーが入退場ゲート２から退場した状態では、電子名札１における個人情報の表示が停止されるので、個人情報が不必要に人目に晒され、あるいは不正に取得されるのを防止できる。また、入退場ゲート２から退場したユーザーの電子名札１には、個人情報が残っていないので、電子名札１を紛失し、あるいは電子名札１が不正に取得された場合であっても、個人情報が解析され悪用されるのを確実に防止して、情報セキュリティ性を向上できる。さらに、ユーザーの個人情報データは、ホスト端末５のデータ格納部３４にまとめて格納してあるので、氏名以外の属性情報の変更や、電子名札１を紛失したときの再発行処理をホスト端末５側で簡便に行うことができ、従来の電子名札システムに比べて、電子名札システムの取扱いや管理を容易化できる。
【００１７】
入退場ゲート２に入退場検知部３を配置する電子名札システムによれば、ユーザーが入場したか退場したかを入退場検知部３で明確に特定することができる。そのため、一度入退場ゲート２から入場したユーザーが退場し、再び入場するような場合でも、表示体１２による個人情報データの表示と、表示の停止をさらに確実に行えるので、個人情報が不必要に人目に晒され、あるいは不正に取得されるのをさらに確実に防止できる。
【００１８】
ホスト端末５にデータ管理部３６を設けておき、電子名札１を再発行するとき、紛失した電子名札１の名札ＩＤをデータ管理部３６で無効化すると、紛失した電子名札１が不正に使用されるのを確実に防止して、電子名札１の情報セキュリティ性をさらに向上できる。従って、紛失した電子名札１の悪用による個人情報の漏えいや、関係者以外の悪意を持った人間が特定エリアへ入場するのを確実に防止できる。
【００１９】
複数個の光センサー２９Ａ〜２９Ｃ・３０Ａ〜３０Ｃの検知動作の違いで、入退場ゲート２におけるユーザーの通過方向を特定すると、ユーザーの入場動作と退場動作を明確に特定できるので、表示体１２による個人情報の表示と、表示の停止を的確に行える。また市販されている光センサーを利用して入退場検知部３を構成できるので、電子名札システムの導入に要するコストを削減できる。
【００２０】
入場側リーダライタ４１および退場側リーダライタ４２で入退場検知部３を構成すると、ユーザーが入退場ゲート２を通過するのに先行して、電子名札１に入場フラグや退場フラグが格納されるので、ユーザーの入退場をさらに確実に特定することができる。これは、リーダライタ４と電子名札１の間で無線通信を行う際に、予めデータ化してある入場フラグや退場フラグによって、ユーザーの入退場を電子的に瞬時に特定できるからである。また、リーダライタ４と電子名札１の間の無線通信によって、ユーザーの入退場を特定するので、天候の影響や、自動車のヘッドライトの照射光による外乱を受けることもなく、安定した状態でユーザーの入退場を特定できる。
【００２１】
入退場ゲート２の複数個所に個別通路６を設け、各個別通路６ごとに入退場検知部３とリーダライタ４を配置すると、ユーザーはリーダライタ４の通信エリアを通過するだけで、電子名札１に個人情報を表示し、あるいは表示を停止できる。また、入退場ゲート２を通過するとき、ユーザーはホスト端末５に対して入退場を通知する必要がないので、多人数のユーザーが同時に入場し、あるいは退場するような場合でもユーザーの入退場を円滑に行って、入退場ゲート２における混雑や混乱を避けることができる。
【図面の簡単な説明】
【００２２】
【図１】本発明に係る電子名札システムのブロック図である。
【図２】校門と電子名札の関係を示す平面図である。
【図３】電子名札の表示例を示す正面図である。
【図４】個人情報データのリストを示す図表である。
【図５】電子名札システムの別の実施例を示すブロック図である。
【図６】別の実施例に係る校門と電子名札の関係を示す平面図である。
【発明を実施するための形態】
【００２３】
（実施例１）  図１ないし図４は、本発明に係る電子名札システムの実施例を示す。実施例では、ユーザーが生徒であり、登校した生徒の個人情報を学校内部において電子名札１で表示し、下校時には電子名札１による生徒の個人情報の表示を停止する、生徒用の電子名札システムについて説明する。図１および図２において、電子名札システムは、生徒の個人情報を表示する電子名札１と、校門（入退場ゲート）２に配置した登下校検知部（入退場検知部）３およびリーダライタ４と、電子名札１を着用した生徒の個人情報データを記憶し管理するホスト端末５などで構成する。校門２以外に登下校できる出入口（入退場ゲート）がある場合には、登下校検知部３およびリーダライタ４を校門２および出入口のそれぞれに設ける。この実施例では図２に示すように、校門２に一人の生徒のみが通過できる個別通路６を２個設けて、各個別通路６に登下校検知部３およびリーダライタ４を配置している。
【００２４】
図３に示すように、電子名札１は、縦長四角形状の薄いケース９の内部にＲＦＩＤタグを収容して構成してある。ケース９の上部には、電子名札１を被服に止付けるためのタブ１０と安全ピン１１が設けてある。図１においてＲＦＩＤタグは、個人情報を表示する電子ペーパー（表示体）１２と、電子ペーパー１２の表示状態を制御する表示制御部１３と、リーダライタ４と無線通信を行う通信部１４と、電源１５などで構成する。電源１５はボタン型の１次電池からなり、タブ１０側のケース９の内部に着脱可能に収容してある。電子ペーパー１２は、ケース９の前面に設けた透明の表示窓１６の内面に固定してあり、生徒の個人情報データを表示し、あるいは表示を停止する。この実施例では、生徒個人の氏名と、学年、組、席次などの氏名以外の属性情報と、学校名を電子ペーパー１２で表示するようにした（図３参照）。
【００２５】
図１に示すように表示制御部１３は、電子ペーパー１２の表示状態を制御する表示ドライバー１９と、表示制御部１３の全体の動作を制御する表示コントローラ２０と、電子ペーパー１２で表示される文字および記号等のフォントデータを格納する表示記憶部２１で構成する。表示コントローラ２０は通信部１４と接続されていて、後述する通信コントローラ２２から送られる起動信号を受信するための待機モードと、電子ペーパー１２に個人情報データを表示する表示モードに電子名札１を切換えることができる。
【００２６】
詳しくは、表示コントローラ２０は、登校時に通信部１４を介してホスト端末５から取得した個人情報データに基づき、表示記憶部２１から必要なフォントデータを取得して表示ドライバー１９を作動させ、電子ペーパー１２に個人情報データを表示する。また、表示モードにおける表示処理が終了したら、電子ペーパー１２に個人情報データが表示された状態のままで、表示コントローラ２０を再び待機モードに切換える。さらに、下校時には、通信部１４を介して取得した停止コマンドに基づき表示ドライバー１９を作動させて、電子ペーパー１２の表示を消去し、表示を停止させる。
【００２７】
通信部１４は、通信コントローラ２２と、通信記憶部２３と、ダイポール型のアンテナ２４で構成してある。通信コントローラ２２は、電子名札１がリーダライタ４の通信エリア内に入ったとき、リーダライタ４から放射された送信波をアンテナ２４が受信した際の起電力で起動し、リーダライタ４から送信された指令信号に基づき、通信記憶部２３に格納してある名札ＩＤをリーダライタ４へ送信する。通信記憶部２３には先の名札ＩＤと、リーダライタ４との無線通信を制御するプログラムなどが格納してある。通信記憶部２３は、リーダライタ４から送信された個人情報データを一時的に格納するメモリーとしても機能する。
【００２８】
名札ＩＤは、通信コントローラ２２の固有の識別コードであって、個々の電子名札１のそれぞれに異なる名札ＩＤが割り当ててある。通信部１４とリーダライタ４との間の無線通信は、ＵＨＦ帯（９２０ＭＨｚ）の電波を通信媒体としており、通信規格（ＥＰＣ  Ｇｌｏｂａｌ  Ｃｌａｓｓ−１  Ｇｅｎｅｒａｔｉｏｎ−２）に基づいて通信制御を行うので、電子名札１をリーダライタ４に近接させ、あるいは密着させる必要はない。
【００２９】
図２に示すように、登下校検知部３は個別通路６を間に挟む門柱２６・２７に一定間隔おきに配置した３組の投光器（光センサー）２９Ａ・２９Ｂ・２９Ｃと、先の門柱２６・２７と対向する門柱２７・２８に一定間隔おきに配置した３組の受光器（光センサー）３０Ａ・３０Ｂ・３０Ｃで構成する。生徒が各門柱２６・２７・２８の間を通過すると、投光器２９Ａ・２９Ｂ・２９Ｃから受光器３０Ａ・３０Ｂ・３０Ｃへ向かって照射された検知光が生徒によって遮られるので、３組の受光器３０Ａ・３０Ｂ・３０Ｃの受光信号がどの順番で途切れたかを知ることができる。例えば、受光器３０Ａ・３０Ｂ・３０Ｃの受光信号が、３０Ｃ・３０Ｂ・３０Ａの順に途切れた場合には、生徒が校門２を入場方向へ通過したことを特定でき、逆の場合には、生徒が退場方向へ通過したことを特定することができる。なお、中間位置に設けた受光器３０Ｂの受光信号が途切れた時点で、入場か退場かを特定できるので、この時点でリーダライタ４から電子名札１に表示指令を送信して個人情報データを表示させ、あるいは表示停止指令を送信して表示を停止する。
【００３０】
リーダライタ４は個別通路６の地面に埋設されてホスト端末５に接続されており、パッチ型のアンテナ３３を介して電子名札１に送信波を送信し、あるいは、電子名札１から送信された反射波を受信する。ホスト端末５はパーソナルコンピュータからなり、データ格納部３４と、データ制御部３５と、データ管理部３６を備えている。図４に示すように、データ格納部３４には名札ＩＤと、氏名、学年、組、席次等の個人情報データと、登下校の履歴データが格納してある。
【００３１】
データ制御部３５は、登下校検知部３の検知データを受取り、さらにリーダライタ４を介して受取った名札ＩＤに基づきデータ格納部３４から取得した個人情報データを、リーダライタ４を介して電子名札１に送信する。データ管理部３６は、データ格納部３４の個人情報データを管理するために設けてあり、個人情報データのデータベースを作成し、あるいは作成したデータベースの加除および訂正を行い、さらに電子名札を再発行する場合等に使用する。データ格納部３４に格納してあるデータは、データ管理部３６を起動することによりホスト端末５のディスプレイにまとめて表示することができるので、例えば学年、組、席次等のデータを各組ごと、あるいは学年ごとにまとめて変更することができる。従って、個々の電子名札１に個人情報データが格納してある場合に比べて、氏名以外の属性情報の変更を簡便に行うことができる。
【００３２】
次に、登校時および下校時における電子名札１とホスト端末５のデータ授受の概略を説明する。図２に示すように、登校する生徒は被服の胸部分に電子名札１を着用して、校門２に設けた個別通路６から校内へ入場する。例えば午前８時になったら、リーダライタ４はホスト端末５の指令信号を受けて送信波の発信を開始する。生徒が校門２に近づき、待機モードの電子名札１がリーダライタ４の通信範囲内に入ると、電子名札１の通信コントローラ２２が、リーダライタ４から放射された送信波によってアンテナ２４に生じる起電力で起動し、電子名札１とリーダライタ４の間で通信を確立する。このとき、リーダライタ４は、アンテナ２４の反射波を介して通信記憶部２３に格納してある名札ＩＤを取得し、ホスト端末５のデータ制御部３５へ送致する。データ制御部３５は、リーダライタ４から受取った名札ＩＤをキーにして、データ格納部３４から個人情報データを取得して、リーダライタ４を介して電子名札１の表示制御部１３へ送致する。個人情報データを受取った表示制御部１３は、必要なフォントデータを表示記憶部２１から取得して、図３に示すように電子ペーパー１２に個人情報を表示する。一連の処理は、生徒が校門２を通過する間に行えるので、多人数の生徒が同時に校門２を通過する場合でも、混雑することはなく、生徒の入場（または退場）を円滑に行うことができる。
【００３３】
ホスト端末５は、電子ペーパー１２による個人情報の表示と併行して、生徒が校門２を入場方向へ通過したことを受光器３０Ａ・３０Ｂ・３０Ｃの受光信号から特定して、登下校の履歴データを○印に書換える。必要があれば、登校した時間を個人情報データとして記録してもよい。表示モードにおける表示処理が終了したら、電子ペーパー１２に個人情報データが表示された状態のままで、表示コントローラ２０を待機モードに切換えて、電子名札１の作動を停止させる。このように電子名札１の作動を停止した状態では、電源１５の電力は消費されないので電源１５の交換間隔を大きくできる。なお、ホスト端末５は始業時間が始まって一定時間が経過した時点で作動を停止させるが、生徒個人の事情や早退等により、終業時間前に登下校する場合には、ホスト端末５を起動して登校時および下校時の処理を行う。
【００３４】
生徒の下校時間は、学年によって異なることがあるので、最も早く下校する学年の下校時間に合わせてホスト端末５を起動させ、リーダライタ４から送信波を発信する。生徒が校門２に近づき、待機モードの電子名札１がリーダライタ４の通信範囲内に入ると、登校時と同様に電子名札１の通信コントローラ２２が、リーダライタ４から放射された送信波によってアンテナ２４に生じる起電力で起動し、電子名札１とリーダライタ４の間で通信を確立する。このとき、リーダライタ４は、アンテナ２４の反射波を介して通信記憶部２３に格納してある名札ＩＤを確認したのち、電子ペーパー１２の表示を停止させるコマンドを通信コントローラ２２に送致する。停止コマンドを受けた通信コントローラ２２は、表示ドライバー１９を作動させて、電子ペーパー１２の表示を消去し、表示を停止させる。併行して、データ制御部３５はリーダライタ４から受取った名札ＩＤに基づき、登下校の履歴データを消去して空欄にし、表示制御部１３に格納されているフォントデータを消去する。
【００３５】
登下校時や家庭において電子名札１を紛失することがあり、紛失した電子名札１が不正に取得されるおそれがある。しかし、個人情報データはホスト端末５に格納してあるだけで、電子名札１にはフォントデータと名札ＩＤしか残っていない。従って、不正に取得され電子名札１が解析されたとしても、個人情報が漏洩することはない。電子名札１を紛失した生徒に対しては電子名札１を再発行する。その場合にはホスト端末５を起動して、データ管理部３６で紛失した電子名札１の名札ＩＤを無効化し、再発行される電子名札１の名札ＩＤを個人情報データとともにデータ格納部３４に格納することにより、紛失した電子名札１が悪用されるのを確実に防止できる。生徒の転入や転出時の電子名札１の発行や無効化も、ホスト端末５側で簡便に行えるので、従来の電子名札システムに比べて取扱いや管理が容易な電子名札システムを提供できる。
【００３６】
図５および図６は電子名札システムの別の実施例を示している。そこでは図６に示すように、校門２の門柱２６・２７の間に３個のリーダライタ４を配置し、各リーダライタ４を間にして校門２の内外に配置した入場側リーダライタ４１および退場側リーダライタ４２で、入退場検知部３を構成している。入場側リーダライタ４１は、リーダライタ４と同様に電子名札１と通信を確立して、通信記憶部２３に記録されていた退場フラグを消去し、入場フラグを格納する。また、退場側リーダライタ４２はリーダライタ４と同様に電子名札１と通信を確立して、通信記憶部２３に記録された入場フラグを消去し、退場フラグを格納する。リーダライタ４は、通信記憶部２３に格納されているのが入場フラグであるか退場フラグであるかによって、生徒が入場したか退場したかをホスト端末５に設けたデータ制御部３５で判定し、登下校履歴データを更新する。図５において符号４３はアンテナである。
【００３７】
登校時の生徒は、入場側リーダライタ４１とリーダライタ４を通過したのち、退場側リーダライタ４２を通過するが、登校時には退場側リーダライタ４２の作動を停止しておくことにより、入場フラグが消去されるのを防止できる。同様に、下校時には入場側リーダライタ４１の作動を停止しておくことにより、退場フラグが消去されるのを防止できる。他は先の実施例と同じであるので、同じ部材に同じ符号を付してその説明を省略する。
【００３８】
上記のように、入場側リーダライタ４１および退場側リーダライタ４２で構成した入退場検知部３によれば、生徒が校門２を通過するのに先行して、電子名札１に入場フラグや退場フラグが格納されるので、生徒の登下校をさらに確実に特定することができる。因みに、光センサーを検知要素とする場合には、天候の影響や、自動車のヘッドライトの照射光で受光器３０Ａ〜３０Ｃが誤作動するおそれがあり、さらに、ポケットライトを使用したいたずらを受けやすいが、こうした誤作動を一掃できる。また、複数の生徒が横に並んだ状態で校門２を通過した場合でも、個々の生徒の電子名札１と各リーダライタ４１・４２の間で通信を確立して、生徒の入退場を確実に特定できる。
【００３９】
本発明の電子名札システムは、学校等における登下校時の名札管理以外に、企業や公的機関、研究所、空港などの特定エリアにおける入退場時の名札管理にも適用することができる。また、展示会場の入場者に電子名札１を配布し、さらに、展示会場の個々の展示ブースにリーダライタを設けておくことにより、展示ブースの繁忙度合いや、展示会場の入場者の行動を知るためのデータを収集することができる。
【００４０】
上記の実施例では、３組の透過型の光センサーで生徒の入退場を検知するようにしたが、光センサーは反射型の光センサーであってもよい。また、光センサーは、少なくとも校門２の内外に２組配置してあれば足りる。さらに、ホスト端末５に登校時間と下校時間を設定しておき、登校時間帯においては、校門２を通過した生徒の電子名札１に個人情報を表示し、下校時間帯においては、校門２を通過した生徒の電子名札１に表示してある個人情報を消去するようにしてもよい。その場合には、ホスト端末５が入退場検知部３を兼ねることになる。電源１５は２次電池であってもよい。電子ペーパー１２の表面に、学校の校章や校名、あるいは会社のハウスマーク等の標章や会社名を印刷しておいて、個人情報の表示を停止した場合でも、校章や校名あるいは標章や会社名を明示できるようにしてもよい。登校専用の校門２と下校専用の校門２を別個に設けておくことができる。その場合には、生徒が校門２から入場したか、校門２から退場したかを特定する必要がないので、入退場検知部３を省略することができる。
【００４１】
登下校時に生徒が校門２を通過したことを、例えばＥメールで保護者に通知することができる。上記の実施例では、登校時に生徒が校門２を通過したことを登下校検知部３が検知した時点で、電子ペーパー１２に個人情報を表示するようにしたが、その必要はなく、生徒が教室へ入った時点で電子ペーパー１２に個人情報を表示することができる。その場合には、教室の出入り口に別途リーダライタを設置しておいて、教室に入ってきた生徒の電子ペーパー１２に個人情報を表示することができる。また、校門２を通過してから一定時間が経過したことをタイマーで計時して、教室または校舎に入ってきた生徒の電子ペーパー１２に個人情報を表示するようにしてもよい。このように、電子ペーパー１２による個人情報の表示を、教室または校舎の側で行うと、登校時の生徒の入場を円滑に行って、校門付近が混雑するのを解消できる。
【符号の説明】
【００４２】
１  電子名札
２  校門（入退場ゲート）
３  登下校検知部（入退場検知部）
４  リーダライタ
５  ホスト端末
６  個別通路
９  ケース
１２  電子ペーパー（表示体）
１３  表示制御部
１４  通信部
１５  電源
１９  表示ドライバー
２０  表示コントローラ
２１  表示記憶部
２２  通信コントローラ
２３  通信記憶部
２４  通信部のアンテナ
３３  リーダライタのアンテナ
３４  ホスト端末のデータ格納部
３５  ホスト端末のデータ制御部
３６  ホスト端末のデータ管理部
【図１】
0006644503.tif 000002
【図２】
0006644503.tif 000003
【図３】
0006644503.tif 000004
【図４】
0006644503.tif 000005
【図５】
0006644503.tif 000006
【図６】
0006644503.tif 000007